(57)【要約】【課題】  携帯電話用のメニューブラウズ方法およびメニューブラウズシステムを提供する。【解決手段】  先ず、配列された画像の１つを指定し、携帯電話のディスプレイ装置に表示する。指定された画像は、１つのメニューオプションに対応する。その後、方向指示信号を受信する。次に、信号および配列に従って、配列された画像のうち指定された画像より後または前の所定個数の画像をディスプレイ装置に順番に表示し、そのうち最後の画像をディスプレイ装置に表示したままとし、もし確認信号を受信した場合には、ディスプレイ装置に表示されたその画像に対応するオプションページに接続する。【選択図】    図３
2004178577.tif 000002
【特許請求の範囲】
【請求項１】
携帯電話用のメニューブラウズシステムであって、
ディスプレイ装置と、
前記携帯電話のメニューオプションに対応する複数の三次元画像を所定の配列に従って記憶したデータ記憶装置と、
信号を受信するための信号受信装置と、
プロセッサであって、
前記三次元画像の１つを指定するステップと、
前記信号受信装置で受信された信号が第１の方向を示す場合に、前記指定された三次元画像より後の所定個数の三次元画像を前記ディスプレイ装置に順番に表示するステップと、
前記信号受信装置で受信された信号が第２の方向を示す場合に、前記指定された三次元画像より前の所定個数の三次元画像を前記ディスプレイ装置に順番に表示するステップと
からなるメニューブラウズ動作を実施するためのプロセッサと
を備えるシステム。
【請求項２】
請求項１に記載の携帯電話用のメニューブラウズシステムであって、
前記プロセッサは、更に、前記信号受信装置で受信された信号が確認信号である場合に、前記ディスプレイ装置に表示された３次元画像に対応するメニューオプションの機能を実施するシステム。
【請求項３】
請求項１に記載の携帯電話用のメニューブラウズシステムであって、
前記配列は環状の配列であるシステム。
【請求項４】
請求項１に記載の携帯電話用のメニューブラウズシステムであって、
前記プロセッサは、更に、前記ディスプレイ装置に最後に表示された３次元画像に対応する動画を表示するシステム。
【請求項５】
請求項４に記載の携帯電話用のメニューブラウズシステムであって、
前記プロセッサは、前記信号受信装置で別の信号が受信されたときに、前記動画の表示を停止するシステム。
【請求項６】
請求項１に記載の携帯電話用のメニューブラウズシステムであって、
前記配列された３次元画像は３６０度の場面を構成するシステム。
【請求項７】
請求項１に記載の携帯電話用のメニューブラウズシステムであって、
前記３次元画像は被写界深度を伴う画像であるシステム。
【請求項８】
請求項１に記載の携帯電話用のメニューブラウズシステムであって、
前記ディスプレイ装置は前記携帯電話のスクリーンであるシステム。
【請求項９】
携帯電話用のメニューブラウズ方法であって、
前記携帯電話のメニューオプションに対応する複数の３次元画像を所定の配列に従って提供するステップと、
前記３次元画像の１つを指定し、前記指定された３次元画像を前記携帯電話のスクリーンに表示するステップと、
信号を受信するステップと、
前記信号が第１の方向を示す場合に、前記指定された３次元画像より後の所定個数の３次元画像を前記ディスプレイ装置に順番に表示するステップと、
前記信号が第２の方向を示す場合に、前記指定された３次元画像より前の所定個数の３次元画像を前記ディスプレイ装置に順番に表示するステップと
を備える方法。
【請求項１０】
請求項９に記載の方法であって、更に、
前記信号受信装置で受信された信号が確認信号である場合に、前記ディスプレイ装置に表示された３次元画像に対応するオプションページに接続するステップを備える方法。
【請求項１１】
請求項９に記載の携帯電話用のメニューブラウズ方法であって、
前記配列は環状の配列である方法。
【請求項１２】
請求項９に記載の携帯電話用のメニューブラウズ方法であって、更に、
最後に表示された３次元画像に対応する動画を表示する方法。
【請求項１３】
請求項１２に記載の携帯電話用のメニューブラウズ方法であって、更に、
別の信号が受信されたときに前記動画の表示を停止する方法。
【請求項１４】
請求項９に記載の携帯電話用のメニューブラウズ方法であって、
前記配列された３次元画像は３６０度の場面を構成する方法。
【請求項１５】
請求項９に記載の携帯電話用のメニューブラウズ方法であって、
前記３次元画像は被写界深度を伴う画像である方法。
【請求項１６】
携帯電話用のメニューブラウズシステムであって、
ディスプレイ装置と、
前記携帯電話の複数のメニューオプションに対応する複数の３次元画像を環状の配列に従って記憶したデータ記憶装置と、
信号を受信するための信号受信装置と、
プロセッサであって、
前記３次元画像の１つを指定するステップと、
前記信号受信装置で受信された信号が第１の方向を示す場合に、前記環状配列のうち前記指定された３次元画像より後の所定個数の３次元画像を前記ディスプレイ装置に順番に表示するステップと、
前記信号受信装置で受信された信号が第２の方向を示す場合に、前記環状配列のうち前記指定された３次元画像より前の所定個数の３次元画像を前記ディスプレイ装置に順番に表示するステップと、
前記信号受信装置で受信された信号が確認信号である場合に、前記ディスプレイ装置に表示された３次元画像に対応するメニューオプションの機能を実施するステップと
を含むメニューブラウズ動作を実施するためのプロセッサと
を備えるシステム。
【発明の詳細な説明】
【技術分野】
【０００１】
本発明は、メニューブラウズ方法およびメニューブラウズシステムに関し、特に、２次元（２Ｄ）画像を使用して３次元（３Ｄ）環境の回転効果および動画の表示効果をシミュレートする携帯電話用のメニューブラウズ方法およびメニューブラウズシステムに関する。
【背景技術】
【０００２】
携帯電話等の便利な移動通信機器が、非常に好評を博している。しかしながら、従来の携帯電話は、データ処理能力やデータ記憶容量に限界があるので、３次元のレンダリングや３次元環境をシミュレーションする機能を持つことができない。
【発明の開示】
【発明が解決しようとする課題】
【０００３】
したがって、本発明は、２次元画像を使用して３次元環境の回転効果および動画の表示効果をシミュレートする携帯電話用のメニューブラウズ方法およびメニューブラウズシステムを提供することを目的とする。
【課題を解決するための手段】
【０００４】
上記の目標を達成するため、本発明は、携帯電話用のメニューブラウズ方法を提供する。先ず、複数の画像を用意して、それらを所定の配列、特に環状に並べる。
【０００５】
次に、配列された画像の１つを指定して、携帯電話のディスプレイ装置に表示する。指定された画像は、１つのメニューオプションに対応する。
【０００６】
その後、方向指示信号を受信する。方向指示信号が第１の方向を示す場合は、配列された画像のうち指定された画像より後の所定個数の画像を、予め設定された時間間隔で順番にディスプレイ装置に表示し、そのうち最後の画像をディスプレイ装置に表示したままにする。方向指示信号が第２の方向を示す場合は、配列された画像のうち指定された画像より前の所定個数の画像を、予め設定された時間間隔で順番にディスプレイ装置に表示し、そのうち最後の画像をディスプレイ装置に表示したままにする。確認信号を受信した場合は、ディスプレイ装置に表示された画像に対応するオプションページに接続する。
【０００７】
更に、最後に表示された画像に対応する動画をディスプレイ装置に表示する。この動画の表示は、別の信号を受信したときに停止する。
【０００８】
本発明は、更に、携帯電話用のメニューブラウズシステムを提供する。このシステムは、ディスプレイ装置と、データ記憶装置と、信号受信装置と、プロセッサとを備える。
【０００９】
データ記憶装置は、配列された複数の画像を記憶する。プロセッサは、データ記憶装置に所定の入れつて記憶された画像の１つを指定し、その画像をディスプレイ装置に表示する。指定された画像は、１つのメニューオプションに対応する。
【００１０】
信号受信装置で受信された信号が第１の方向を示す場合は、プロセッサは、配列された画像のうち指定された画像より後の所定個数の画像を、予め設定された時間間隔で順番にディスプレイ装置に表示し、そのうち最後の画像をディスプレイ装置に表示したままにする。信号受信装置で受信された信号が第２の方向を示す場合は、プロセッサは、配列された画像のうち指定された画像より前の所定個数の画像を、予め設定された時間間隔で順番にディスプレイ装置に表示し、そのうち最後の画像をディスプレイ装置に表示したままにする。信号受信装置で受信された信号が確認信号である場合は、プロセッサは、ディスプレイ装置に表示された画像に対応するオプションページに接続する。
【００１１】
プロセッサは、更に、最後に表示された画像に対応する動画をディスプレイ装置に表示し、その動画の表示を、信号受信装置で別の信号を受信したときに停止する。
【００１２】
上述した本発明の目的、特徴、および利点を、添付の図面を参照しつつ好ましい実施形態に関する以下の詳細な説明から更に明らかにする。
【発明を実施するための最良の形態】
【００１３】
図１は、携帯電話用のメニューブラウズシステムのアーキテクチャの概略を、本発明の実施形態にしたがって示している。
【００１４】
本発明の実施形態にしたがったこのシステムは、ディスプレイ装置１０と、データ記憶装置１１と、信号受信装置１２と、プロセッサ１３とを備える。
【００１５】
ディスプレイ装置１０としては、携帯電話のスクリーンを用いることができる。データ記憶装置１１は、配列された複数の画像を記憶する。配列されたこれらの画像は、被写界深度を伴う３次元画像等とすることができ、３６０度の場面をシミュレートすることができる。つまり、これらの画像は、その場面を様々な角度から撮影した画像としたり、１つの物体を様々な角度から見た画像とすることができる。配列されたこれらの画像を繋げると、連続した３６０度の場面を構成することができる。また、信号受信装置１２は、方向キーや確認キー、そしてＣＣＩＴＴキー（国際電信電話諮問委員会により勧告されたキー）を含む携帯電話のキーボードを用いることができる。
【００１６】
ユーザが、メニューのブラウズを開始すると、プロセッサ１３は、データ記憶装置１１に配列されて記憶された画像の１つを指定し、ディスプレイ装置１０に表示する。なお、指定された画像は、携帯電話システムにおけるアドレス帳、通話、ボイスメール、セットアップ等の機能などの１つのメニューオプションに対応するように予め定めても良い。
【００１７】
信号受信装置１２で受信された信号が第１の方向を示す場合は、プロセッサ１３は、配列された画像のうち指定された画像より後の所定個数の画像を、予め設定された時間間隔で順番にディスプレイ装置１０に表示し、そのうち最後の画像をディスプレイ装置１０に表示したままにする。信号受信装置１２で受信された信号が第２の方向を示す場合は、プロセッサ１３は、配列された画像のうち指定された画像より前の所定個数の画像を、上記の時間間隔で順番にディスプレイ装置１０に表示し、そのうち最後の画像をディスプレイ装置１０に表示したままにする。
【００１８】
なお、第１の方向とは、例えば配列の右方向とすることかでき（つまり、ユーザが右キーを押して右信号を送信する場合である）、第２の方向とは、配列の左方向とすることができる（つまり、ユーザが左キーを押して左信号を送信する場合である）。方向指示信号を受信したときに、連続する複数の画像を順番に表示するのは、動画のシミュレートを目的として行われるものであり、メニューオプションにそれぞれ対応する２つの画像間の画像の数は、ユーザまたは携帯電話システムによって規定することができる。もちろん、オプションからオプションまでの画像の数が多いほど、動画の滑らかさも増す。 
【００１９】
ディスプレイ装置１０に最後の画像が表示された状態になると、プロセッサ１３は、ディスプレイ装置１０に表示された最後の画像に対応する動画を表示する。ただし、信号受信装置１２で別の信号が受信されたときは、プロセッサ１３は動画の表示を停止する。
【００２０】
また、信号受信装置１２で受信された信号が確認信号である場合、つまり、例えばユーザがＯＫキーを押した場合は、プロセッサ１３は、ディスプレイ装置１０に表示された画像に対応するオプションページ（図１には示していない）に接続し、そのオプションページをディスプレイ装置１０に表示するか、あるいはこのオプションに対応する機能を実施する。
【００２１】
なお、この携帯電話システムは、更に、ユーザによって入力される信号を連続的に記憶するためのＦＩＦＯ（先入れ先出し）メモリを備えることも好ましい。プロセッサ１３は、ＦＩＦＯルールに従うことによって、ＦＩＦＯメモリに記憶された信号に応じて対応する動作を実施することができる。
【００２２】
図２は、携帯電話用のメニューブラウズ方法による処理を、本発明の実施形態にしたがって示している。先ず、ステップＳ２０において、環状に配列された複数の画像が携帯電話に提供される。これらの画像は、やはり３次元画像とすることができ、配列されたこれらの画像は、３６０度の場面をシミュレートすることができる。これらの画像は、その場面を様々な角度から撮影した画像としたり、１つの物体を様々な角度から見た場合に相当する画像とすることができる。
【００２３】
携帯電話のメニュー機能を起動すると、携帯電話システムは、ステップＳ２１において、配列された画像の１つを指定して表示する。なお、指定された画像は、携帯電話システムにおけるアドレス帳、通話、ボイスメール、セットアップ等の機能などの一つのメニューオプションに対応するように予め定めても差し支えない。次に、携帯電話システムは、ステップＳ２２において、表示された画像に対応する動画を表示する。
【００２４】
それと同時に、携帯電話システムは、ステップＳ２３において、信号が受信されたか否かをチェックする。信号が受信されていない（ステップＳ２３においてＮＯである）場合は、ステップＳ２２に戻り、動画の表示を続ける。信号が受信された（ステップＳ２３においてＹＥＳである）場合は、ステップＳ２４において、受信された信号が右を示す方向指示信号であるか否かを決定する。なお、動画の表示は、ある種の信号を受信したときに停止する。
【００２５】
受信された信号が右を示す方向指示信号である（ステップＳ２４においてＹＥＳである）場合は、携帯電話は、ステップＳ２５において、配列された画像のうち最後に表示された画像より後の所定個数の画像（最後に表示された画像より右側の画像）を、例えば０．３秒等の予め設定された時間間隔で順番にディスプレイ装置に表示し、そのうち最後の画像をディスプレイ装置に表示したままにする。最後に表示された画像は、次のメニューオプションに対応している。その後はステップＳ２２に戻り、表示中の画像に対応する動画の表示が続けられる。受信された信号が右を示す方向指示信号でない（ステップＳ２４においてＮＯである）場合は、ステップＳ２６において、受信された信号が左を示す方向指示信号であるか否かを決定する。
【００２６】
受信された信号が左を示す方向指示信号である（ステップＳ２６においてＹＥＳである）場合は、携帯電話は、ステップＳ２７において、配列された画像のうち最後に表示された画像より前の所定個数の画像（最後に表示された画像より左側の画像）を、予め設定された０．３秒の時間間隔で順番にディスプレイ装置に表示し、そのうち最後の画像をディスプレイ装置に表示したままにする。最後に表示された画像は、一つ前のメニューオプションに対応する。その後はステップＳ２２に戻り、表示中の画像に対応する動画の表示を継続する。受信された信号が左を示す方向指示信号でない（ステップＳ２６においてＮＯである）場合は、ステップＳ２８において、受信された信号が確認信号であるか否かを決定する。
【００２７】
受信された信号が確認信号である（ステップＳ２８においてＹＥＳである）場合は、携帯電話は、ステップＳ２９において、ディスプレイ装置に表示中の画像に対応するオプションページに接続し、そのページを表示して、対応するサービスを実施する。確認信号でない（ステップＳ２８においてＮＯである）場合は、ステップＳ２２に戻り、表示中の画像に対応する動画の表示を継続する。
【００２８】
複数の画像を順番に表示するのは、やはり動画のシミュレートを目的として行われるものであり、メニューオプションにそれぞれ対応する２つの画像間の画像の数は、やはりユーザまたは携帯電話システムによって規定することができる。それぞれのメニューオプションに対応する２つの画像間の画像の数が多いほど、変換もスムーズに行われる。
【００２９】
図３は、環状に配列された画像の概略を示した説明図である。図３に示すように、環状の配列は、画像Ａから画像Ｌまでの１２の画像から構成されている。画像Ａ，Ｄ，Ｇ，Ｊは、それぞれが携帯電話のメニューオプションに対応しており、画像Ａ，Ｄ，Ｇ，Ｊは、それぞれに対応する動画３０，３１，３２，３３を備える。画像Ｂ，Ｃは画像Ａ，Ｄ間の、画像Ｅ，Ｆは画像Ｄ，Ｇ間の、画像Ｈ，Ｉは画像Ｇ，Ｊ間の、画像Ｋ，Ｌは画像Ｊ，Ａ間の、それぞれ過渡的な画像である。
【００３０】
メニューの初期画像が画像Ａである場合は、携帯電話は、メニュー機能に入った時点で画像Ａおよびこれに対応する動画３０を表示する。
【００３１】
右を示す方向指示信号を受信した場合は、携帯電話システムは、（次のメニューオプションに対応する画像が来るまで）画像Ｂ，Ｃ，Ｄを、予め設定された時間間隔で順番に表示し、その後、画像Ｄに対応する動画を表示する。
【００３２】
また、（画像Ａの表示中に）左を示す方向指示信号を受信した場合は、携帯電話システムは、（すぐ前のメニューオプションに対応する画像が来るまで）画像Ｌ，Ｋ，Ｊを、予め設定された時間間隔で順番に表示し、その後、画像Ｊに対応する動画を表示する。このとき、確認信号を受信した場合は、携帯電話システムは、画像Ｊに対応するオプションページに接続し、それに対応するサービスを実施する。
【００３３】
したがって、本発明にしたがった携帯電話用のメニューブラウズ方法およびメニューブラウズシステムを使用することによって、２次元画像を使用して３次元環境における回転の効果をシミュレートし、動画の表示を行うことが可能になる。
【００３４】
以上では、本発明の好ましい実施形態を説明したが、本発明は、ここで開示された実施形態に限定されない。当業者ならば、本発明の範囲および趣旨を逸脱しない範囲で種々の変更形態および代替形態を採ることができることは勿論である。したがって、本発明の範囲は、特許請求の範囲およびそれらの等価物によって規定され、保護されるものとする。
【図面の簡単な説明】
【００３５】
【図１】携帯電話用のメニューブラウズシステムのアーキテクチャの概略を、本発明の実施形態にしたがって示した説明図である。
【図２】携帯電話用のメニューブラウズ方法の過程を、本発明の実施形態にしたがって示したフローチャートである。
【図３】環状に配列された画像の概略を示した説明図である。
【符号の説明】
【００３６】
１０…ディスプレイ装置
１１…データ記憶装置
１２…信号受信装置
１３…プロセッサ
３０…動画
３１…動画
３２…動画
３３…動画
Ａ〜Ｌ…画像
【図１】
2004178577.tif 000003
【図２】
2004178577.tif 000004
【図３】
2004178577.tif 000005